(57)【要約】【課題】室内部材を機械室の外部で機械室の天板に係合すること。【解決手段】冷蔵庫は、機械室の天板に設けられた係合孔と、前記機械室内に設けられた室内部材と、前記室内部材に設けられ前記係合孔内に下から挿入されたものであって前記天板に前記機械室の外部で係合することに応じて前記室内部材を前記天板に吊下げる係合部と、前記機械室外に設けられ前記係合部を上から覆う室外部材を備えたものである。【選択図】図２
2016125786.tif 000002
【特許請求の範囲】
【請求項１】
圧縮機が収納されたものであって、天板を有する機械室と、
前記機械室の天板に設けられた係合孔と、
前記機械室内に設けられた室内部材と、
前記室内部材に設けられ、前記係合孔内に下から挿入されたものであって前記天板に前記機械室の外部で係合することに応じて前記室内部材を前記天板に吊下げる係合部と、
前記機械室外に設けられ、前記係合部を上から覆う室外部材を備えたことを特徴とする冷蔵庫。
【請求項２】
前記室外部材は、前記室内部材に比べて耐熱性が低い材料で形成されていることを特徴とする請求項１に記載の冷蔵庫。
【請求項３】
前記室内部材は、前記圧縮機の上に配置されていることを特徴とする請求項１または２に記載の冷蔵庫。
【発明の詳細な説明】
【技術分野】
【０００１】
実施例は冷蔵庫に関する。
【背景技術】
【０００２】
冷蔵庫には機械室を有するものがある。この機械室は冷凍サイクルの圧縮機が収納されたものであり、機械室内には室内部材が収納されている。この室内部材は係合部を有するものである。この係合部は機械室の天板の係合孔内に下から挿入されたものであり、機械室の天板に機械室の外部で係合することに応じて室内部材を天板に吊下げている。
【先行技術文献】
【特許文献】
【０００３】
【特許文献１】特開平６−１８１４６号公報
【発明の概要】
【発明が解決しようとする課題】
【０００４】
上記冷蔵庫の場合には機械室の天板上に断熱材があり、機械室の天板の係合孔内に下から係合部を挿入する場合に断熱材が邪魔になる。
【課題を解決するための手段】
【０００５】
実施例の冷蔵庫は、圧縮機が収納されたものであって天板を有する機械室と、前記機械室の天板に設けられた係合孔と、前記機械室内に設けられた室内部材と、前記室内部材に設けられ前記係合孔内に下から挿入されたものであって前記天板に前記機械室の外部で係合することに応じて前記室内部材を前記天板に吊下げる係合部と、前記機械室外に設けられ前記係合部を上から覆う室外部材を備えたものである。
【図面の簡単な説明】
【０００６】
【図１】実施例１を示す図（冷蔵庫の内部構成を示す断面図）
【図２】図４のＸ２線に沿う断面図
【図３】排水カバーの外観を示す図
【図４】機械室の内板を示す図
【図５】排水ケースおよび排水カバーを示す図
【発明を実施するための形態】
【実施例１】
【０００７】
図１のキャビネット１は前面が開口する縦長な四角箱状をなすものである。このキャビネット１は鋼板製の外箱２および合成樹脂製の内箱３間にウレタン製の断熱材４を充填してなるものであり、底壁と天井壁と左側壁と右側壁と後壁を有している。このキャビネット１内には上仕切板５が固定されており、上仕切板５の上に位置して冷蔵室６が形成されている。
【０００８】
キャビネット１内には、図１に示すように、断熱仕切板７が固定されている。この断熱仕切板７は上仕切板５の下に配置されたものであり、キャビネット１内には上仕切板５および断熱仕切板７間に位置して野菜室８が形成されている。この野菜室８内は冷蔵室６内に接続されたものであり、冷蔵室６内の温度および野菜室８内の温度は冷蔵温度帯域に収束するようにコントロールされる。
【０００９】
キャビネット１内には、図１に示すように、下仕切板９が固定されている。この下仕切板９は断熱仕切板７の下に配置されたものであり、キャビネット１内には断熱仕切板７および下仕切板９間に位置して製氷室１０が形成されている。この製氷室１０内は冷蔵室６内および野菜室８内に対して遮断されたものであり、キャビネット１内には下仕切板９の下に位置して冷凍室１１が形成されている。この冷凍室１１は製氷室１０内に接続されたものであり、製氷室１０内の温度および冷凍室１１内の温度は冷凍温度帯域に収束するようにコントロールされる。
【００１０】
キャビネット１には、図１に示すように、冷蔵室６の前に位置してＲ扉１２が開閉可能に装着されている。このＲ扉１２にはガスケット１３が固定されており、冷蔵室６の前面はＲ扉１２の閉鎖状態でガスケット１３がキャビネット１の前端面に前から密着することで気密状態に閉鎖される。このキャビネット１には野菜室８の前に位置してＶ扉１４が開閉可能に装着されている。このＶ扉１４にはガスケット１５が固定されており、野菜室８の前面はＶ扉１４の閉鎖状態でガスケット１５がキャビネット１の前端面に前から密着することで気密状態に閉鎖される。
【００１１】
キャビネット１には、図１に示すように、製氷室１０の前に位置してＩ扉１６が開閉可能に装着されている。このＩ扉１６にはガスケット１７が固定されており、製氷室１０の前面はＩ扉１６の閉鎖状態でガスケット１７がキャビネット１の前端面に前から密着することで気密状態に閉鎖される。このキャビネット１には冷凍室１１の前に位置してＦ扉１８が開閉可能に装着されている。このＦ扉１８にはガスケット１９が固定されており、冷凍室１１の前面はＦ扉１８の閉鎖状態でガスケット１９がキャビネット１の前端面に前から密着することで気密状態に閉鎖される。
【００１２】
キャビネット１の下端部には、図１に示すように、機械室２０が形成されている。この機械室２０はキャビネット１の後端部に配置されたものであり、後面および底面が開口している。この機械室２０は前壁と左側壁と右側壁と天井壁を有するものである。これら前壁〜天井壁のそれぞれはキャビネット１の一部から構成されたものであり、キャビネット１のうち機械室２０の天井壁に相当する一部を天室壁２１と称する。図２は天室壁２１である。この天室壁２１は外箱２の一部である鋼板製の内板２２および内箱３の一部である合成樹脂製の外板２３を有するものであり、内板２２および外板２３間には断熱材４が充填されている。この内板２２は天板に相当する。
【００１３】
キャビネット１には、図１に示すように、鋼板製の機械室カバー２４が固定されている。この機械室カバー２４は機械室２０の底面を閉鎖する底板および機械室２０の後面を閉鎖する後板を有するものであり、機械室カバー２４の底板には冷凍サイクルのコンプレッサ２５が固定されている。このコンプレッサ２５は駆動源としてコンプモータを内蔵するものであり、機械室２０内に配置されている。この機械室２０内には冷凍サイクルのコンデンサが固定されており、コンデンサはコンプレッサ２５の吐出口に接続されている。このコンプレッサ２５は圧縮機に相当する。
【００１４】
冷蔵室６内の後端部には、図１に示すように、仕切板２６が固定されており、キャビネット１の後壁および仕切板２６間には上冷気室２７が形成されている。この上冷気室２７内には冷凍サイクルのＲエバポレータ２８およびＲファン装置２９が固定されている。Ｒファン装置２９はファンモータの回転軸にファンを連結してなるものであり、Ｒエバポレータ２８はコンプレッサ２５からコンデンサを通して冷媒が供給されるものである。このＲエバポレータ２８はＲファン装置２９が生成する風を冷風化するものであり、Ｒエバポレータ２８が生成した冷風は冷蔵室６内に供給され、野菜室８内には冷蔵室６内から冷風が供給される。
【００１５】
製氷室１０内の後端部には、図１に示すように、仕切板３０が固定されており、キャビネット１の後壁および仕切板３０間には下冷気室３１が形成されている。この下冷気室３１は機械室２０の天室壁２１を介して機械室２０に隣接するものであり、機械室２０の天室壁２１は下冷気室３１および機械室２０間を仕切る断熱壁として機能する。
【００１６】
下冷気室３１内には、図１に示すように、冷凍サイクルのＦエバポレータ３２およびＦファン装置３３が固定されている。Ｆファン装置３３はファンモータの回転軸にファンを連結してなるものであり、Ｆエバポレータ３２はコンプレッサ２５からコンデンサを通して冷媒が供給されるものである。このＦエバポレータ３２はＦファン装置３３が生成する風を冷風化するものであり、Ｆエバポレータ３２が生成した冷風は製氷室１０内および冷凍室１１内に供給される。
【００１７】
下冷気室３１内には、図１に示すように、水受け皿３４が固定されている。この水受け皿３４は上面が開口するものであり、底板を有している。この水受け皿３４の底板には中継ホース３５の上端部が接続されている。この水受け皿３４は除霜水を受けるものであり、Ｆエバポレータ３２の真下に配置されている。この除霜水はＦエバポレータ３２に付着した霜が溶けることで液化したものであり、Ｆエバポレータ３２に対する冷媒の供給が中断した状態でＦエバポレータ３２から滴下する。
【００１８】
機械室２０の天室壁２１内には、図２に示すように、水平な板状の排水カバー３６が収納されている。この排水カバー３６は非耐熱性の合成樹脂（非耐熱性のポリプロピレン）を材料に成形されたものであり、コンプレッサ２５の真上に配置されている。この排水カバー３６は内板２２の上面に載置されたものであり、断熱材４によって下へ押されることで内板２２の上面に押付けられている。この排水カバー３６は室外部材に相当する。
【００１９】
排水カバー３６は、図３に示すように、接続口３７を一体に有している。この接続口３７は排水カバー３６の上面から上へ突出する円筒状をなすものであり、図４に示すように、中継ホース３５の下端部は天室壁２１の断熱材４内で接続口３７に嵌合されている。この接続口３７は排水カバー３６の右端部に配置されたものであり、排水孔３８を介して機械室２０内に通じている。この排水孔３８は内板２２に形成されたものであり、Ｆエバポレータ３２からの除霜水は水受け皿３４と中継ホース３５と接続口３７と排水孔３８を通して機械室２０内に排出される。
【００２０】
機械室２０内には、図５に示すように、排水ケース３９が収納されている。この排水ケース３９は上面が開口するものであり、底板と底板を取り囲む筒状の周板を有している。この排水ケース３９は耐熱性の合成樹脂（耐熱性のポリプロピレン）を材料に成形されたものであり、室内部材に相当する。
【００２１】
排水ケース３９は、図２に示すように、３つの爪部４０を一体に有している。これら３つの爪部４０のそれぞれは排水ケース３９の周板に対して外側および上側へ突出するものであり、下から係合孔４１内に挿入されている。これら３つの係合孔４１は内板２２に形成されたものであり、排水ケース３９は３つの爪部４０が内板２２のうち係合孔４１の縁部に係合することで内板２２に吊下げられ、３つの爪部４０は内板２２から上へ突出している。即ち、３つの爪部４０は機械室２０の外部で内板２２に係合されたものであり、係合部に相当する。
【００２２】
排水ケース３９は、図２に示すように、下から内板２２を介して排水カバー３６に対向するものであり、図５に示すように、コンプレッサ２５に上から隙間を介して対向している。この排水ケース３９は内板２２の排水孔３８を下から覆うものであり、除霜水は排水孔３８から排水ケース３９内の右端部に進入する。この排水ケース３９の底板は右から左に向けて傾斜する傾斜状をなしており、排水ケース３９内に進入した除霜水は排水ケース３９の底板に沿って右から左へ流れる。
【００２３】
排水カバー３６は、図３に示すように、３つの凸部４２を一体に有している。これら３つの凸部４２のそれぞれは排水カバー３６の上面から上へ突出するものであり、３つの凸部４２のそれぞれの内部には、図２に示すように、断熱材４が充填されていない空間状の収納室４３が形成されている。これら３つの収納室４３のそれぞれは排水ケース３９の爪部４０が機械室２０の外部で収納されたものであり、３つの凸部４２のそれぞれは内板２２の係合孔４１を上から覆っている。
【００２４】
排水ケース３９の底板には、図５に示すように、左端部に位置して排水ホース４４の上端部が接続されている。この排水ホース４４は耐熱性の合成樹脂を材料とするものであり、排水ケース３９の底板に沿って右から左へ流れる除霜水は排水ホース４４内に進入する。この排水ホース４４の下端部は蒸発皿４５内に挿入されている。この蒸発皿４５は上面が開口するものであり、機械室カバー２４の底板に固定されている。この蒸発皿４５は排水ホース４４を通して除霜水が注入されるものであり、除霜水は蒸発皿４５内に貯留される。この蒸発皿４５は機械室２０内に配置されたものであり、蒸発皿４５内の除霜水はコンプレッサ２５からの熱で蒸発が促進される。
【００２５】
上記実施例１によれば次の効果を奏する。
排水ケース３９の爪部４０を内板２２の係合孔４０内に下から挿入することで内板２２に機械室２０の外部で係合させ、爪部４０を内板２２に機械室２０の外部で係合させることで排水ケース３９を内板２２に吊下げたので、爪部４０が機械室２０内のコンプレッサ２５から熱影響を受けることが抑えられる。
【００２６】
排水ケース３９の爪部４０を上から覆う樹脂製の排水カバー３６を機械室２０の外部に設けた。従って、排水カバー３６のうち係合孔４１の上に断熱材４が充填されていない収納室４３が形成されるので、排水ケース３９の爪部４０を断熱材４に邪魔されることなく係合孔４１内に下から円滑に挿入することが可能となる。しかも、排水カバー３６がコンプレッサ２５から熱影響を受けることが抑えられるので、排水カバー３６を排水ケース３９に比べて耐熱性が低い合成樹脂製とすることが可能となる。
【００２７】
排水ケース３９をコンプレッサ２５の上に配置したので、コンプレッサ２５からの熱が上昇することで排水ケース３９に集中的に作用する。しかしながら、排水カバー３６および排水ケース３９の爪部４０が機械室２０の外部に配置されているので、コンプレッサ２５から熱影響を受けることが効果的に抑えられる。
【００２８】
上記実施例１においては、排水ケース３９内に除霜水を貯留しても良い。この場合には排水ケース３９を十分に開放し、排水ケース３９内の除霜水を蒸発させると良い。即ち、排水ケース３９を蒸発皿としても良い。
【００２９】
上記実施例１においては、Ｒエバポレータ２８の除霜水を中継ホース３５および排水カバー３６から排水ケース３９内に注入しても良い。
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００３０】
２０は機械室、２２は内板（天板）、２５はコンプレッサ（圧縮機）、３６は排水カバー（室外部材）、３９は排水ケース（室内部材）、４０は爪部（係合部）、４１は係合孔である。
【図１】
2016125786.tif 000003
【図２】
2016125786.tif 000004
【図３】
2016125786.tif 000005
【図４】
2016125786.tif 000006
【図５】
2016125786.tif 000007